(57)【要約】  少なくとも１つの熱源が温度しきい値を超えるときを検出するためのデバイスおよび方法であり、上記デバイスは、構成要素であって、構成要素の動作温度に従って変化する電気抵抗を有する、構成要素と、電流を構成要素に供給するのに好適な電力源とを備える。構成要素は、熱源に熱的に結合され得、動作温度は、熱源の温度およびジュール効果によって構成要素内に放出される熱に従って変化し、動作温度がトリガしきい値よりも大きい場合、可変の電気抵抗は、高値を有し、電力源は、熱源の温度が温度しきい値以上である場合に動作温度がトリガしきい値以上となり、可変の電気抵抗が高値を有するように、電流を生成するように構成される。電力源は、電流源であり、電流は、固定または可変デューティサイクルを有する周期パルスの形態で供給される。【選択図】図１
2021513642.tif 000002
【特許請求の範囲】
【請求項１】
少なくとも１つの熱源（Ｓ）による温度（Ｔ）の第１の予め定められたしきい値（ＴＳ）の超過を検出するためのデバイス（Ｄ）であって、前記デバイス（Ｄ）が、
少なくとも１つの構成要素（Ｃ１、Ｃ２、Ｃｉ、Ｃｋ）であって、前記構成要素（Ｃ１、Ｃ２、Ｃｉ、Ｃｋ）の動作温度に応じて可変である電気抵抗を有する、少なくとも１つの構成要素（Ｃ１、Ｃ２、Ｃｉ、Ｃｋ）と、
前記構成要素（Ｃ１、Ｃ２、Ｃｉ、Ｃｋ）を流れる電流（Ｉｓ）を送達することができる電力源と、を備え、
前記構成要素（Ｃ１、Ｃ２、Ｃｉ、Ｃｋ）が、前記熱源（Ｓ）に熱的に結合することができ、前記動作温度（Ｔｆ）が、
前記熱源（Ｓ）の前記温度（Ｔ）、および
前記電流（Ｉｓ）が前記構成要素（Ｃ１、Ｃ２、Ｃｉ、Ｃｋ）を流れるときに前記構成要素（Ｃ１、Ｃ２、Ｃｉ、Ｃｋ）内のジュール熱によって放出される熱
に応じて変化し、
前記動作温度（Ｔｆ）が、トリップしきい値（Ｔｄ）と呼ばれる第２の予め定められた温度しきい値を上回る場合に、前記可変である電気抵抗が高値（Ｒｄ）を有し、
前記電力源は、前記熱源（Ｓ）の前記温度（Ｔ）が前記第１の予め定められた温度しきい値（ＴＳ）以上である場合に前記動作温度（Ｔｆ）が前記トリップしきい値（Ｔｄ）以上となって前記可変の電気抵抗が前記高値（Ｒｄ）となるように、前記電流（Ｉｓ）を生成するように構成され、
前記電力源が、電流源であり、前記電流（Ｉｓ）が、固定または可変デューティサイクルの周期パルスの形態で送達される、デバイス（Ｄ）。
【請求項２】
前記熱源（Ｓ）から電気的に絶縁される、請求項１に記載のデバイス（Ｄ）。
【請求項３】
前記デバイス（Ｄ）が、複数の熱源（Ｓ１、Ｓ２、Ｓｊ、Ｓｎ）のうちの１つの熱源による前記第１の温度しきい値（ＴＳ）の超過を検出するように構成され、前記デバイス（Ｄ）が、複数のリセッタブルヒューズの形態をとる複数の構成要素（Ｃ１、Ｃ２、Ｃｉ、Ｃｋ）を備え、各リセッタブルヒューズ（Ｃ１、Ｃ２、Ｃｉ、Ｃｋ）が、前記少なくとも１つの熱源（Ｓ１、Ｓ２、Ｓｊ）に熱的に結合され、前記ヒューズ（Ｃ１、Ｃ２、Ｃｉ、Ｃｋ）が、直列に接続されることを特徴とする、請求項１または２に記載のデバイス（Ｄ）。
【請求項４】
各々が異なる抵抗を有する複数の抵抗器（Ｒ１、Ｒ２、Ｒｉ、Ｒｋ）をさらに備え、１つの抵抗器が、各ヒューズ（Ｃ１、Ｃ２、Ｃｉ、Ｃｋ）の端子間で並列に接続される、請求項３に記載のデバイス（Ｄ）。
【請求項５】
前記少なくとも１つの熱源が電池である、請求項１から４のいずれか一項に記載のデバイス（Ｄ）。
【請求項６】
前記構成要素（Ｃ１、Ｃ２、Ｃｉ、Ｃｋ）のうちの１つの前記可変の電気抵抗が前記高値（Ｒｄ）を有するときに、修正またはフラギング動作をトリガするように構成されるモニタリングモジュール（Ｍ）をさらに備える、請求項１から５のいずれか一項に記載のデバイス（Ｄ）。
【請求項７】
少なくとも１つの熱源（Ｓ、Ｓ１、Ｓｉ、Ｓｋ、Ｓｎ）による温度（Ｔ）の第１のしきい値（ＴＳ）の超過をモニタするための方法であって、前記方法が、
少なくとも１つの構成要素（Ｃ１、Ｃ２、Ｃｉ、Ｃｋ）であって、前記構成要素の動作温度（Ｔｆ）に応じて可変である電気抵抗を有し、前記動作温度（Ｔｆ）が、トリップしきい値（Ｔｄ）と呼ばれる第２の予め定められた温度しきい値を上回る場合に、前記可変の電気抵抗が高値（Ｒｄ）を有する、少なくとも１つの構成要素（Ｃ１、Ｃ２、Ｃｉ、Ｃｋ）と、
前記構成要素（Ｃ１、Ｃ２、Ｃｉ、Ｃｋ）を流れる電流（Ｉｓ）を送達することができる電力源と
を備える検出デバイス（Ｄ）によって実行され、
前記方法が、
前記少なくとも１つの熱源（Ｓ、Ｓ１、Ｓｉ、Ｓｋ、Ｓｎ）を前記少なくとも１つの構成要素（Ｃ１、Ｃ２、Ｃｉ、Ｃｋ）に熱的に結合するステップ（Ｅ１０）であって、前記動作温度（Ｔｆ）が、
前記熱源（Ｓ）の前記温度（Ｔ）、および
前記電流（Ｉｓ）が前記構成要素（Ｃ１、Ｃ２、Ｃｉ、Ｃｋ）を流れるときに前記構成要素（Ｃ１、Ｃ２、Ｃｉ、Ｃｋ）内のジュール熱によって放出される熱
に応じて変化する、ステップ（Ｅ１０）と、
前記電力源（Ｅ）を前記少なくとも１つの構成要素（Ｃ１、Ｃ２、Ｃｉ、Ｃｋ）に接続するステップ（Ｅ２０）と、
前記熱源（Ｓ）の前記温度（Ｔ）が前記第１の予め定められた温度しきい値（ＴＳ）以上である場合に前記動作温度（Ｔｆ）が前記トリップしきい値（Ｔｄ）以上となり、前記可変の電気抵抗が前記高値（Ｒｄ）を有するように、前記電流（Ｉｓ）を生成するように前記電力源を構成するステップ（Ｅ３０）と、
を含み、
前記電力源が、電流源であり、前記電流（Ｉｓ）が、固定または可変デューティサイクルの周期パルスの形態で送達される、方法。
【請求項８】
前記検出デバイス（Ｄ）が、
直列に接続される複数の構成要素（Ｃｊ）であって、各々がそれぞれの動作温度（Ｔｆｊ）に応じて可変である電気抵抗を有する、複数の構成要素（Ｃｊ）と、
異なる抵抗を有する複数の抵抗器（Ｒｊ）であって、１つの抵抗器が各構成要素（Ｃｊ）の端子間で並列に接続されており、構成要素（Ｃｋ）の前記電気抵抗が前記高値（Ｒｄ）を有するとき、前記構成要素（Ｃｊ）および前記抵抗器（Ｒｊ）によって形成される電気チェーンの等価抵抗（Ｒｅ）が、各構成要素（Ｃｋ）およびそこに並列に接続される抵抗器（Ｒｋ）では異なる値を有する、複数の抵抗器（Ｒｊ）とを備え、
熱結合する前記ステップ（Ｅ１０）の間、各構成要素（Ｃｊ）が、少なくとも１つの熱源（Ｓｉ、Ｓｋ）に熱的に結合され、
接続する前記ステップ（Ｅ２０）の間、前記電力源（Ｅ）が、前記構成要素（Ｃｊ）および前記抵抗器（Ｒｊ）によって形成される前記電気チェーンに接続され、
前記方法が、
前記電力源（Ｅ）により供給信号（Ｉ）を生成するステップ（Ｅ３０）と、
前記電力源（Ｅ）の端子間の応答信号（ｕ）を検出するステップ（Ｅ４０）と、
前記構成要素（Ｃｊ）および前記抵抗器（Ｒｊ）によって形成される前記電気チェーンの等価抵抗（Ｒｅ）を決定するステップ（Ｅ５０）と、
前記等価抵抗（Ｒｅ）に応じて、前記抵抗が前記高値（Ｒｄ）を有する前記構成要素（Ｃｋ）を特定するステップ（Ｅ６０）と、をさらに含む、請求項７に記載のモニタリング方法。
【請求項９】
構成する前記ステップ（Ｅ３０）が、前記検出デバイス（Ｄ）を設計するサブステップ（Ｅ３２）を含み、前記サブステップ（Ｅ３２）は、
モニタされるべき前記第１の温度しきい値（ＴＳ）、
前記少なくとも１つの構成要素（Ｃ１、Ｃ２、Ｃｉ、Ｃｋ）の電気的特性、および
前記少なくとも１つの熱源（Ｓ）と前記少なくとも１つの構成要素（Ｃ１、Ｃ２、Ｃｉ、Ｃｋ）との間の熱結合の特性
に応じて、周期電流パルスの第１のデューティサイクルを決定することを含む、請求項７または８に記載のモニタリング方法。
【請求項１０】
前記第１の温度しきい値（ＴＳ）の超過を最初に検出した後、構成する前記ステップ（Ｅ３０）が、
前記第１のデューティサイクルよりも低い第２のデューティサイクルを有する電流パルスを伝送するサブステップ（Ｅ３４）と、
前記第１の超過の検出を確認するサブステップ（Ｅ３６）と
をさらに含む、請求項９に記載のモニタリング方法。
【請求項１１】
請求項１から６のいずれか一項に記載の予め定められた温度しきい値（ＴＳ）の超過を検出するためのデバイス（Ｄ）を備える車両（Ｖ）。
【発明の詳細な説明】
【技術分野】
【０００１】
本発明は、熱源の温度をモニタするためのデバイス、より詳細には、動作温度により可変である抵抗を有する電子部品を備えるモニタリングデバイスに関する。
【背景技術】
【０００２】
本発明は、１つまたは複数の熱源の温度の超過を検出し、モニタされる温度しきい値の調整を可能にするデバイスを提案する。
【０００３】
電池からなる複数の熱源の温度をモニタするためのデバイスは、文献ＣＮ１０２１９５２７０から知られている。このデバイスは、温度により可変である体積を有するプレートを備える。このプレートは、モニタされるべきセルの壁にくっつけて置かれる。過熱の場合には、プレートが膨張し、上記プレートに対向して置かれるスイッチを機械的に作動させ、スイッチの開放が、セル内への充電電流の通過を妨げる。
【０００４】
しかしながら、このソリューションには、過熱温度しきい値を調整するためのパラメータは１つしか存在せず、これはすなわち、プレートとスイッチとの間の距離であり、このパラメータは、したがって、モニタされるべき１つまたは複数のセルを備えるモジュールの製造中にのみ調整可能であり、その後は変更不可能である。製造後には、モニタされる温度しきい値の値を調整することはもはや不可能である。加えて、セルの突然の断絶が生じ、故に、想定され得る他の是正措置がない。
【発明の概要】
【０００５】
したがって、モニタされる温度しきい値が調整されることを可能にする、１つまたは複数の熱源の温度をモニタするためのデバイスが必要とされている。
【０００６】
この目的のため、本発明は、少なくとも１つの熱源による温度の第１の予め定められたしきい値の超過を検出するためのデバイスを提供することを目指し、この検出デバイスは、
少なくとも１つの構成要素であって、構成要素の動作温度に応じて可変である電気抵抗を有する、少なくとも１つの構成要素と、
上記構成要素を流れる電流を送達することができる電力源と、を備え、
上記構成要素は、上記熱源に熱的に結合することができ、動作温度は、
熱源の温度、および
電流が構成要素を流れるときに構成要素内のジュール熱によって放出される熱、に応じて変化し、
動作温度が、トリップしきい値と呼ばれる第２の予め定められた温度しきい値を上回る場合に、可変の電気抵抗は高値を有し、
電力源は、上記熱源の温度が第１の予め定められた温度しきい値以上である場合に動作温度がトリップしきい値以上となって可変の電気抵抗が高値を有するように、電流を生成するように構成され、
電力源は、電流源であり、電流は、固定または可変デューティサイクルの周期パルスの形態で送達される。
【０００７】
好ましい実施形態において、本発明に従うデバイスは、有利には、以下の特徴を、単独で、または組み合わせて、有し得る：
本デバイスは、熱源から電気的に絶縁され得る。
本デバイスは、複数の熱源のうちの１つの熱源による第１の温度しきい値の超過を検出するように構成され得、また、複数のリセッタブルヒューズの形態をとる複数の構成要素を備え得、各リセッタブルヒューズが、少なくとも１つの熱源に熱的に結合され、ヒューズが、直列に接続される。
本デバイスは、各々が異なる抵抗を有することができる複数の抵抗器をさらに備え得、１つの抵抗器が、各ヒューズの端子間で並列に接続されることが可能である。
少なくとも１つの熱源は、電池であり得る。
本デバイスは、上記構成要素のうちの１つの可変の電気抵抗が高値を有するときに、修正またはフラギング動作をトリガするように構成されるモニタリングモジュールをさらに備え得る。
【０００８】
本発明の別の主題は、少なくとも１つの熱源による温度の第１のしきい値の超過をモニタするための方法であり、本方法は、
少なくとも１つの構成要素であって、構成要素の動作温度に応じて可変である電気抵抗を有し、動作温度が、トリップしきい値と呼ばれる第２の予め定められた温度しきい値を上回る場合に、可変の電気抵抗が高値を有する、少なくとも１つの構成要素と、
上記構成要素を流れる電流を送達することができる電力源と
を備える検出デバイス（Ｄ）によって実行され、
本方法は、
少なくとも１つの熱源を少なくとも１つの構成要素に熱的に結合するステップであって、動作温度が、
熱源の温度、および
電流が構成要素を流れるときに構成要素内のジュール熱によって放出される熱、に応じて変化する、ステップと、
電力源を少なくとも１つの構成要素に接続するステップと、
上記熱源の温度が第１の予め定められた温度しきい値以上である場合に動作温度がトリップしきい値以上となって可変の電気抵抗が高値を有するように、電流を生成するように電力源を構成するステップと、を含み、
電力源は、電流源であり、電流は、固定または可変デューティサイクルの周期パルスの形態で送達される。
【０００９】
好ましい実施形態において、本発明に従う方法は、有利には、以下の特徴を、単独で、または組み合わせて、有し得るが、ただし、検出デバイスが、
直列に接続される複数の構成要素であって、各々がそれぞれの動作温度に応じて可変である電気抵抗を有する複数の構成要素と、
異なる抵抗を有する複数の抵抗器であって、１つの抵抗器が各構成要素の端子間で並列に接続され、構成要素の電気抵抗が高値を有するときに、構成要素および抵抗器によって形成される電気チェーンの等価抵抗が、各構成要素およびそこに並列に接続される抵抗器では異なる値を有する、複数の抵抗器とを備えることができるという条件であり、
そのため本方法は、
熱結合するステップの間、各構成要素が、少なくとも１つの熱源に熱的に結合されること、
接続するステップの間、電力源が、構成要素および抵抗器によって形成される電気チェーンに接続されることを含み得、
そのため本方法は、
電力源により供給信号を生成するステップと、
電力源の端子間の応答信号を検出するステップと、
構成要素および抵抗器によって形成される電気チェーンの等価抵抗を決定するステップと、
等価抵抗に応じて、抵抗が高値を有する構成要素を特定するステップと、をさらに含み得る。
【００１０】
構成するステップは、次いで、
モニタされるべき第１の温度しきい値、
少なくとも１つの構成要素の電気的特性、および
少なくとも１つの熱源と少なくとも１つの構成要素との間の熱結合の特性
に応じて、周期電流パルスの第１のデューティサイクルを決定することを含む、検出デバイスを設計するサブステップを含み得る。
【００１１】
第１の温度しきい値の超過を最初に検出した後、構成するステップは、
第１のデューティサイクルよりも低い第２のデューティサイクルを有する電流パルスを伝送するサブステップと、
該最初の超過の検出を確認するサブステップと
をさらに含み得る。
【００１２】
本発明の別の主題は、上に説明されるものなどの温度超過を検出するためのデバイスを備える車両に関する。
【図面の簡単な説明】
【００１３】
【図１】複数の電池のそれぞれの温度をモニタするように配置される、温度超過を検出するためのデバイスの実施形態を概略的に示す図である。
【図２】複数の電池のそれぞれの温度をモニタするように配置される、温度超過を検出するためのデバイスの実施形態を概略的に示す図である。
【図３】本発明の１つの実施形態に従う、温度超過を検出するためのデバイスを示す図である。
【図４】本発明の１つの実施形態に従う、温度超過を検出するためのデバイスを示す図である。
【図５】本発明の１つの実施形態に従う、予め定められた温度しきい値を超えた熱源を特定するための方法のステップを示す図である。
【発明を実施するための形態】
【００１４】
図１は、本発明の１つの実施形態に従う検出デバイスを概略的に示す。デバイスＤは、モジュールＭ１、…Ｍｍにグループ分けされる電池からなる複数の熱源Ｓ１、Ｓ２、Ｓｊ、…Ｓｎの温度をモニタするために、車両Ｖに設置される。電池は、ソフトシェルセルである。
【００１５】
本デバイスは、複数の構成要素Ｃ１、Ｃ２、Ｃｉ、Ｃｋであって、構成要素Ｃ１、Ｃ２、Ｃｉ、Ｃｋの動作温度Ｔｆに応じて可変である電気抵抗Ｒ＿ＰＴＣを有する、複数の構成要素Ｃ１、Ｃ２、Ｃｉ、Ｃｋを備える。１つの好ましい実施形態において、構成要素Ｃ１、Ｃ２、Ｃｉ、Ｃｋは、複数のリセッタブルヒューズの形態をとる。
【００１６】
各リセッタブルヒューズＣ１、Ｃ２、Ｃｉ、Ｃｋは、少なくとも１つの熱源Ｓ１、Ｓ２、Ｓｊ、Ｓｎに熱的に結合される。図１に図示される例において、熱源は電池であり、熱結合は、各リセッタブルヒューズＣ１、Ｃ２、Ｃｉ、Ｃｋを熱コーティングで被覆することによって達成され、次いでこれが、電池と接触して固定される。各リセッタブルヒューズＣ１、Ｃ２、Ｃｉ、Ｃｋは、２つの電池と結合され、コーティングは、接着結合および／または圧迫によって固定される。
【００１７】
本デバイスはまた、電池Ｓ１、Ｓ２、Ｓｊ、Ｓｎに熱的に結合されるリセッタブルヒューズＣ１、Ｃ２、Ｃｉ、Ｃｋを流れる電流Ｉｓを送達することができる電力源Ｅを備え、故に、構成要素Ｃ１、Ｃ２、Ｃｉ、Ｃｋのそれぞれの動作温度は、
それらが熱的に結合される１つまたは複数の熱源Ｓの温度Ｔ、および
電流Ｉｓが構成要素Ｃ１、Ｃ２、Ｃｉ、Ｃｋを流れるときに構成要素Ｃ１、Ｃ２、Ｃｉ、Ｃｋ内のジュール熱によって生成される熱
に応じて変化する。
【００１８】
構成要素、この例ではリセッタブルヒューズ、の可変の電気抵抗は、構成要素の動作温度Ｔｆが、トリップしきい値Ｔｄと呼ばれる第２の予め定められた温度しきい値を上回る場合に、高値Ｒｄを有する。
【００１９】
電力源は、上記熱源Ｓの温度Ｔが第１の予め定められた温度しきい値ＴＳ以上である場合、動作温度Ｔｆがトリップしきい値Ｔｄ以上となり、可変の電気抵抗が高値Ｒｄを有するように、電流Ｉｓを生成するように構成される。
【００２０】
デバイスＤは、熱源Ｓから電気的に絶縁される。この方式では、検出デバイスＤの動作特性は、モニタされる熱源の電気的特性とは独立しており、リセッタブルヒューズを流れる電流Ｉｓは、１２Ｖという典型値の電源Ｅによって送達される電圧では、１００ｍＡ〜８００ｍＡの間で変化する値を有する一方、一緒になっていると見なされる電池のすべてによって送達される動作電圧は、典型的には、４００Ｖである。
【００２１】
図示される例において、電源Ｅは電流源であり、構成要素Ｃ１、Ｃ２、Ｃｉ、Ｃｋは、直列に接続される。この方式では、電流Ｉｓは、デバイスＤの構成要素の数ｋにも、モニタされるべき熱源の数ｎにも依存せず、このことが、第１の温度しきい値ＴＳの調整を単純化する。単に電流源Ｅによって送達される電流Ｉｓを減少させることによって、第１の温度しきい値ＴＳは増加され、その逆も然りである。
【００２２】
既に述べたように、構成要素、この例ではリセッタブルヒューズ、の動作温度は、構成要素が熱的に結合される熱源Ｓの温度Ｔに、また、電流Ｉｓが構成要素を流れるときに構成要素内のジュール熱によって生成される熱に、依存する。したがって、所与のトリップ温度しきい値Ｔｄによって特徴付けられる構成要素では、モニタされる熱源Ｓ１、Ｓ２、Ｓｊ、Ｓｎの第１の温度しきい値ＴＳは、構成要素内のジュール熱によって生成される熱の量を変化させることによって調整され得る。
【００２３】
１つの好ましい実施形態において、電流Ｉｓは、固定または可変デューティサイクルの周期パルスの形態で送達される。
【００２４】
構成要素内のジュール熱によって生成される熱の量は、したがって、電流が構成要素を通過する時間を修正することによって調整され得、これはおそらくは、単に周期パルスのデューティサイクルを変化させることによって達成される。
【００２５】
図３は、電流Ｉｓを電気パルスの形態で送達するように構成される電力源Ｅを組み込む、検出デバイスの１つの実施形態を例証する。
【００２６】
検出デバイスＤを設計するフェーズＥ３２において、固定のデューティサイクルは、モニタされるべき第１の温度しきい値ＴＳ、構成要素Ｃ１、Ｃ２、Ｃｉ、Ｃｋの電気的特性、およびモニタされるべき熱源とこれらの構成要素との間の熱結合の特性に応じて、用途ごとに規定され得る。このデューティサイクル、およびしたがって、モニタされるべき第１の温度しきい値ＴＳは、このようにして、用途ごとの仕様に応じて調整され得る。
【００２７】
検出デバイスＤの利用のフェーズにおいて、デューティサイクルを変化させる能力は、第１の温度しきい値ＴＳが、デバイスＤが設置される方式、またはデバイスＤが熱源に熱的に結合される方式を変える必要なしに、変化されることを可能にする。
【００２８】
第１の温度しきい値ＴＳの超過を最初に検出した後の、デューティサイクルの一度限りの変化は、フェーズＥ３６において、この最初の検出が確認されることを可能にし、したがって、フェーズＥ３４においてより低いデューティサイクルのパルスを伝送することによって、検出の結果の信頼性が増大されることを可能にする。
【００２９】
１つの好ましい実施形態において、検出デバイスＤは、上記構成要素Ｃ１、Ｃ２、Ｃｉ、Ｃｎのうちの１つの可変の電気抵抗が高値Ｒｄを有するときに修正またはフラギング動作をトリガするように構成されるモニタリングモジュールＭをさらに備える。このモジュールＭは、例えば、電力源の端子にわたる電圧および／または電力源の端子における電流を測定することによって、構成要素Ｃｉの抵抗の値における変化を検出するように構成される。
【００３０】
次に、モニタリングモジュールＭは、熱源および構成要素Ｃ１、Ｃ２、Ｃｉ、Ｃｎの温度の減少を引き起こす冷却動作をトリガし得る。この構成は、リセッタブルヒューズの形態をとる構成要素Ｃ１、Ｃ２、Ｃｉ、Ｃｎを備える検出デバイスＤの場合に特に有利である。詳細には、このタイプの構成要素の可変の抵抗は、動作温度が低下すると、保持抵抗Ｒｍと呼ばれる低値に戻り、これにより、熱源の温度をモニタするプロセスを再び開始することが可能になる。
【００３１】
１つの好ましい実施形態において、図２に図示されるように、デバイスＤは、各々が異なる抵抗を有する複数の抵抗器Ｒ１、Ｒ２、Ｒｉ、Ｒｋをさらに備え、１つの抵抗器が、各構成要素Ｃ１、Ｃ２、Ｃｉ、Ｃｋの端子間で並列に接続される。
【００３２】
この配置は、下に説明されるように、第１の温度しきい値ＴＳを超えたリセッタブルヒューズＣｉ（１つの熱源Ｓｊ、この例では電池、に熱的に結合される）が特定されることを可能にする。したがって、特定の熱源をターゲットとした冷却戦略が実施され得る。
【００３３】
そのような検出デバイスＤは、複数の熱源Ｓ１、Ｓ２、Ｓｊ、Ｓｎのうち、第１の予め定められた温度しきい値ＴＳを超えた熱源Ｓｊを特定するように構成され得る。デバイスＤは、直列に接続される複数の構成要素Ｃ１、Ｃ２、Ｃｉ、Ｃｋであって、各々がそれぞれの動作温度に応じて可変である電気抵抗を有する、複数の構成要素Ｃ１、Ｃ２、Ｃｉ、Ｃｋを備え、可変の電気抵抗は、動作温度Ｔｆｊがトリップしきい値Ｔｄと呼ばれる第２の予め定められた温度しきい値を上回る場合には、トリップ抵抗と呼ばれる高値Ｒｄを、また逆の場合には、保持抵抗と呼ばれる低値Ｒｍを有する。
【００３４】
実施形態によっては、構成要素Ｃ１、Ｃ２、Ｃｉ、Ｃｋの保持抵抗Ｒｍは、０Ωに近い値に、またトリップ抵抗Ｒｄは、開回路に対応し得、ヒューズまたはオン／オフスイッチなどの構成要素がまさにそれに当たるということに留意されたい。
【００３５】
リセッタブルヒューズを使用する実施形態において、保持抵抗Ｒｍは、典型的には、０Ωの抵抗であり、トリップ抵抗Ｒｄは、典型的には、数ｋΩの抵抗である。
【００３６】
いずれの場合にせよ、保持抵抗Ｒｍの値は、トリップ抵抗Ｒｄの値に対してわずかであり、その結果として、Ｒｄ＋（ｋ−１）＊Ｒｍ≒Ｒｄであり、ｋは、検出デバイスＤの構成要素の数である。この特徴の使用は、以下に説明される。
【００３７】
各構成要素Ｃ１、Ｃ２、Ｃｉ、Ｃｋは、熱源Ｓ１、Ｓ２、Ｓｊ、Ｓｎのうちの少なくとも１つに熱的に結合されることが可能であり、上記少なくとも１つの熱源Ｓｉ、Ｓｋ、Ｓｎの温度が第１の予め定められた温度しきい値ＴＳ以上である場合に、各構成要素の動作温度は、トリップしきい値Ｔｄ以上であり、そのため、可変の電気抵抗は高値Ｒｄを有する。
【００３８】
デバイスＤは、異なる抵抗を有する複数の抵抗器Ｒ１、Ｒ２、Ｒｉ、Ｒｋをさらに備え、１つの抵抗器が、各構成要素Ｃ１、Ｃ２、Ｃｉ、Ｃｋの端子にまたがって並列に接続され、構成要素Ｃｉの電気抵抗が高値Ｒｄを有するとき、構成要素Ｃ１、Ｃ２、Ｃｉ、Ｃｋおよび抵抗器Ｒ１、Ｒ２、Ｒｉ、Ｒｋによって形成される電気チェーンの等価抵抗Ｒｅは、この構成要素（Ｃｋ）およびそこに並列に接続される抵抗器Ｒｉの特性である値を有する。
【００３９】
代替的に、抵抗器Ｒｉは、直列に接続され、かつ各々が少なくとも１つのそれぞれの熱源に結合される構成要素Ｃｉ−１、Ｃｉ、Ｃｉ＋１のグループに並列に接続され得る。この配置は、熱源がグループ化される場合に特に有利である。本発明のこの実施形態の用途の例は、図４に図示されるように、バッテリモジュールＭ１、Ｍ２、…Ｍｍにグループ分けされるソフトシェル電池の温度のモニタリングである。モニタされる電池Ｓｊのうちの１つが第１の予め定められた温度しきい値ＴＳを超える場合、このセルＳｊに熱的に結合される構成要素Ｃｉは、高い抵抗Ｒｄを有することになる。バッテリの他のセルが第１の温度しきい値ＴＳを超えない場合、直列に接続される構成要素のセットは、Ｒｄ＋（ｋ−１）＊Ｒｍの等価抵抗を有することになり、ｋは、直列に接続される構成要素の数であり、抵抗器Ｒｉに並列に接続されるこれらの抵抗は、一緒になって等価抵抗
Ｒｅ＝Ｒｉ＊［Ｒｄ＋（ｋ−１）＊Ｒｍ］／［Ｒｉ＋Ｒｄ＋（ｋ−１）＊Ｒｍ］
を有することになる。
【００４０】
構成要素Ｃｉおよび抵抗器Ｒｉは、以下になるように選択される。
１）抵抗Ｒｍの値が、Ｒｄの値に対してわずかである、すなわち、
Ｒｄ＋（ｋ−１）＊Ｒｍ≒Ｒｄである。
したがって、
Ｒｅ＝Ｒｉ＊［Ｒｄ＋（ｋ−１）＊Ｒｍ］／［Ｒｉ＋Ｒｄ＋（ｋ−１）＊Ｒｍ］
とすると、その値は、
Ｒｅ≒Ｒｉ＊Ｒｄ／（Ｒｉ＋Ｒｄ）
に実質的に等しい。
２）Ｒｉは、Ｒｄに対してわずかであり、故に、
Ｒｉ＊Ｒｄ／（Ｒｉ＋Ｒｄ）≒Ｒｉ
である。
【００４１】
したがって、第１の温度しきい値ＴＳを超えた電池Ｓｊに熱的に結合される構成要素Ｃｉに、または、直列に接続される構成要素Ｃｉ−１、Ｃｉ、Ｃｉ＋１のグループであって、そのうちの１つの構成要素Ｃｉが第１の温度しきい値ＴＳを超えた電池Ｓｊに熱的に結合される、グループに、並列に接続される抵抗器Ｒｉの等価抵抗Ｒｅは、Ｒｉに実質的に等しい。抵抗器Ｒ１、Ｒ２、…Ｒｉ、Ｒｋのために異なる抵抗を賢明に選択することによって、問題となっている電気チェーンの等価抵抗は、
第１の温度しきい値ＴＳを超えた電池Ｓｊに熱的に結合される構成要素Ｃｉの特性値、または
直列に接続される構成要素Ｃｉ−１、Ｃｉ、Ｃｉ＋１のグループであって、１つの構成要素Ｃｉが、第１の温度しきい値ＴＳを超えた１つの電池Ｓｋに熱的に結合される、グループの特性値、および
それらに並列に接続される抵抗器Ｒｉの特性値、を示すことになり得る。
【００４２】
複数の熱源Ｓ１、Ｓ２、Ｓｊ、Ｓｎのうち、温度Ｔの第１の予め定められたしきい値ＴＳを超えた熱源Ｓｊを特定するための方法が、これより図５を参照して説明される。
【００４３】
本方法は、上に説明されるものなどの検出デバイス、すなわち、複数の構成要素Ｃ１、Ｃ２、Ｃｉ、Ｃｋであって、それらの動作温度に応じて、保持抵抗Ｒｍと呼ばれる低値、またはトリップ抵抗Ｒｄと呼ばれる高値を有することができる複数の構成要素Ｃ１、Ｃ２、Ｃｉ、Ｃｋ、および、異なる抵抗を有し、かつ構成要素Ｃｉまたは直列に接続される構成要素Ｃｉ−１、Ｃｉ、Ｃｉ＋１のグループに並列に接続される複数の抵抗器Ｒ１、Ｒ２、Ｒｉ、Ｒｋを備える検出デバイスを使用して実施され得る。
【００４４】
本方法は、
複数の熱源Ｓ１、Ｓ２、Ｓｊ、Ｓｎを構成要素Ｃ１、Ｃ２、Ｃｉ、Ｃｋに熱的に結合するステップＥ１０であって、各構成要素が、少なくとも１つの熱源Ｓｉに熱的に結合され、上記少なくとも１つの熱源の温度が第１の予め定められた温度しきい値ＴＳ以上である場合に構成要素の動作温度がトリップしきい値Ｔｄ以上となり、構成要素の可変の電気抵抗が高値Ｒｄを有する、ステップＥ１０と、
構成要素Ｃ１、Ｃ２、Ｃｉ、Ｃｋおよび抵抗器Ｒ１、Ｒ２、Ｒｉ、Ｒｋによって形成される電気チェーンを電力源Ｅに接続するステップＥ２０と、
電力源Ｅにより供給信号Ｕ、Ｉを生成するステップＥ３０と、
電力源Ｅの端子間の応答信号ｉ、ｕを検出するステップＥ４０と、
構成要素Ｃ１、Ｃ２、Ｃｉ、Ｃｋおよび抵抗器Ｒ１、Ｒ２、Ｒｉ、Ｒｋによって形成される電気チェーンの等価抵抗Ｒｅを決定するステップＥ５０と、
等価抵抗Ｒｅに応じて、抵抗が高値Ｒｄを有する構成要素Ｃｉを特定するステップＥ６０と、を含む。
【００４５】
図示された例において、生成するステップＥ３０において生成される供給信号は、電流Ｉｓであり、検出するステップＥ４０において検出される応答信号は、電流源Ｅの端子にわたる電圧である。
【００４６】
生成された電流Ｉｓの値および検出された電圧の値が分かっているため、電気チェーンの等価抵抗Ｒｅは、決定するステップＥ５０の実行中に決定される。上に説明されるように、この等価抵抗は、高抵抗値Ｒｄを有する構成要素Ｃｉの特性、または、構成要素のグループであって、そのうちの１つが高抵抗値Ｒｄを有する、構成要素のグループの特性、および、それに並列に接続される抵抗器Ｒｉの特性である。これにより、この構成要素Ｃｉが特定するステップＥ６０において特定されることが可能になる。
【００４７】
当然ながら、本発明は、説明され示される例および実施形態に限定されない。逆に、当業者が再現する能力の範囲内にある本発明の多くの変異形が存在する。
【００４８】
例えば、熱源の構成に応じて、他の配置が可能である。特に、本発明は、グリッドがモニタされるべき領域を被覆して形成される場合に、熱源のモニタリング領域に適用され得、モニタされるべき領域に熱的に結合される、説明されるもののような構成要素は、グリッドのノードに置かれる。
【図１】
2021513642.tif 000003
【図２】
2021513642.tif 000004
【図３】
2021513642.tif 000005
【図４】
2021513642.tif 000006
【図５】
2021513642.tif 000007
【国際調査報告】
2021513642.tif 000008
2021513642.tif 000009
2021513642.tif 000010
2021513642.tif 000011